(57)【要約】【課題】ケーブルの折れ曲がりを抑制できる電子機器を提供する。【解決手段】一つの実施の形態に係る電子機器は、第１の壁と、第２の壁と、移動部と、可撓性のケーブルと、第１の接触部とを備える。前記移動部は、前記第１の壁と前記第２の壁との間に位置し、前記第１および第２の壁に沿って移動可能である。前記ケーブルは、前記第１の壁と前記第２の壁との間に位置する円弧状の湾曲部と、前記湾曲部の一方の端部から連続するとともに前記移動部に固定され、前記第１の壁に接する第１の部分と、前記湾曲部の他方の端部から連続するとともに前記第２の壁に固定され、前記第２の壁に接する第２の部分と、を有し、前記移動部が移動することで移動する。前記第１の接触部は、前記第１の壁に設けられて前記ケーブルの前記第１の部分に接し、前記第２の壁よりも前記ケーブルが滑りやすい。【選択図】図５
2014126904.tif 000002
【特許請求の範囲】
【請求項１】
第１の壁と、
前記第１の壁に面する第２の壁と、
前記第１の壁と前記第２の壁との間に位置し、前記第１および第２の壁に沿って移動可能な移動部と、
前記第１の壁と前記第２の壁との間に位置する円弧状の湾曲部と、前記湾曲部の一方の端部から連続するとともに前記移動部に固定され、前記第１の壁に接する第１の部分と、前記湾曲部の他方の端部から連続するとともに前記第２の壁に固定され、前記第２の壁に接する第２の部分と、を有し、前記移動部が移動することで、前記第１の部分が長くなるとともに前記第２の部分が短くなるように移動し、または前記第１の部分が短くなるとともに前記第２の部分が長くなるように移動する、可撓性のケーブルと、
前記第１の壁に設けられて前記ケーブルの前記第１の部分に接し、前記第２の壁よりも前記ケーブルが滑りやすい第１の接触部と、
を具備する電子機器。
【請求項２】
前記第１の接触部は、前記第１の壁の他の部分よりも前記ケーブルが滑りやすい請求項１に記載の電子機器。
【請求項３】
前記第２の壁に設けられて前記ケーブルの前記第２の部分に接し、前記第２の壁の他の部分よりも前記ケーブルが滑りにくい第２の接触部をさらに具備する請求項１または２に記載の電子機器。
【請求項４】
前記第１の壁は、前記第２の壁に面する第１の面を有し、
前記第１の接触部は、前記第１の面に設けられ、前記第１の壁よりも摩擦係数が低い第１のシートを有する請求項３に記載の電子機器。
【請求項５】
前記第２の壁は、前記第１の壁に面する第２の面を有し、
前記第２の接触部は、前記第２の面に設けられ、前記第２の壁よりも摩擦係数が高い第２のシートを有する請求項３または４に記載の電子機器。
【請求項６】
前記ケーブルは、当該ケーブルが移動する方向に沿って並んだ複数の第１の嵌合部を有し、
前記第２の接触部は、前記第２の壁に設けられ、前記複数の第１の嵌合部に嵌合可能な複数の第２の嵌合部を有する請求項３に記載の電子機器。
【請求項７】
前記第１の壁は、前記第２の壁に面する第１の面を有し、
前記第１の接触部は、前記第１の面の一部を表面処理することによって形成され、前記第１の面の他の部分よりも摩擦係数が低い請求項３に記載の電子機器。
【請求項８】
前記第２の壁は、前記第１の壁に面する第２の面を有し、
前記第２の接触部は、前記第２の面の一部を表面処理することによって形成され、前記第２の面の他の部分よりも摩擦係数が高い請求項３、４または７に記載の電子機器。
【請求項９】
第１の壁と、
前記第１の壁に面する第２の壁と、
前記第１の壁と前記第２の壁との間に位置し、前記第１および第２の壁に沿って移動可能な移動部と、
前記第１の壁と前記第２の壁との間に位置する円弧状の湾曲部と、前記湾曲部の一方の端部から連続するとともに前記移動部に固定され、前記第１の壁に接する第１の部分と、前記湾曲部の他方の端部から連続するとともに前記第２の壁に固定され、前記第２の壁に接する第２の部分と、を有し、前記移動部が移動することで、前記第１の部分が長くなるとともに前記第２の部分が短くなるように移動し、または前記第１の部分が短くなるとともに前記第２の部分が長くなるように移動する、可撓性のケーブルと、
前記第１の壁に設けられて前記ケーブルの前記第１の部分に接し、前記第１の壁の他の部分よりも前記ケーブルが滑りやすい第１の接触部と、
を具備する電子機器。
【請求項１０】
第１の壁と、
前記第１の壁に面する第２の壁と、
前記第１の壁と前記第２の壁との間に位置し、前記第１および第２の壁に沿って移動可能な移動部と、
前記第１の壁と前記第２の壁との間に位置する円弧状の湾曲部と、前記湾曲部の一方の端部から連続するとともに前記移動部に固定され、前記第１の壁に接する第１の部分と、前記湾曲部の他方の端部から連続するとともに前記第２の壁に固定され、前記第２の壁に接する第２の部分と、を有し、前記移動部が移動することで、前記第１の部分が長くなるとともに前記第２の部分が短くなるように移動し、または前記第１の部分が短くなるとともに前記第２の部分が長くなるように移動する、可撓性のケーブルと、
前記第２の壁に設けられて前記ケーブルの前記第２の部分に接し、前記第２の壁の他の部分よりも前記ケーブルが滑りにくい第２の接触部と、
を具備する電子機器。
【請求項１１】
第１の壁と、
前記第１の壁に面する第２の壁と、
前記第１の壁と前記第２の壁との間に位置し、前記第１および第２の壁に沿って移動可能な移動部と、
前記第１の壁と前記第２の壁との間に位置する円弧状の湾曲部と、前記湾曲部の一方の端部から連続するとともに前記移動部に固定され、前記第１の壁に接する第１の部分と、前記湾曲部の他方の端部から連続するとともに前記第２の壁に固定され、前記第２の壁に接する第２の部分と、を有し、前記移動部が移動することで、前記第１の部分が長くなるとともに前記第２の部分が短くなるように移動し、または前記第１の部分が短くなるとともに前記第２の部分が長くなるように移動し、可撓性のケーブルと、
前記ケーブルに設けられるとともに前記第１および第２の壁に接し、前記第１の部分が長くなるとともに前記第２の部分が短くなるように前記ケーブルが移動するときに第１の摩擦力を生じ、前記第１の部分が短くなるとともに前記第２の部分が長くなるように前記ケーブルが移動するときに前記第１の摩擦力よりも低い第２の摩擦力を生じさせる、摩擦変動面と、
を具備する電子機器。
【発明の詳細な説明】
【技術分野】
【０００１】
本発明の実施形態は、電子機器に関する。
【背景技術】
【０００２】
電子機器は、複数の形態に変形することがある。例えば、タブレット型デバイスのような形態に変形可能なポータブルコンピュータが知られる。ポータブルコンピュータは、例えばディスプレイを有する表示部と、ＭＰＵや記憶装置を有する本体部とを備える。上記のポータブルコンピュータは、ポータブルコンピュータとしての形態と、タブレット型デバイスとしての形態とに変形するため、表示部が本体部に対して動く。
【先行技術文献】
【特許文献】
【０００３】
【特許文献１】特開２００６−１１５０４８号公報
【発明の概要】
【発明が解決しようとする課題】
【０００４】
上記のポータブルコンピュータを例に挙げれば、表示部と本体部とは、例えば可撓性のハーネスによって接続される。表示部が本体部に対して移動するとき、当該ハーネスに座屈が生じ、ハーネスが意図しない位置で折れ曲がることがある。
【０００５】
本発明が解決しようとする課題は、ケーブルの折れ曲がりを抑制できる電子機器を提供することである。
【課題を解決するための手段】
【０００６】
一つの実施の形態に係る電子機器は、第１の壁と、第２の壁と、移動部と、可撓性のケーブルと、第１の接触部とを備える。前記第２の壁は前記第１の壁に面する。前記移動部は、前記第１の壁と前記第２の壁との間に位置し、前記第１および第２の壁に沿って移動可能である。前記ケーブルは、前記第１の壁と前記第２の壁との間に位置する円弧状の湾曲部と、前記湾曲部の一方の端部から連続するとともに前記移動部に固定され、前記第１の壁に接する第１の部分と、前記湾曲部の他方の端部から連続するとともに前記第２の壁に固定され、前記第２の壁に接する第２の部分と、を有し、前記移動部が移動することで、前記第１の部分が長くなるとともに前記第２の部分が短くなるように移動し、または前記第１の部分が短くなるとともに前記第２の部分が長くなるように移動する。前記第１の接触部は、前記第１の壁に設けられて前記ケーブルの前記第１の部分に接し、前記第２の壁よりも前記ケーブルが滑りやすい。
【図面の簡単な説明】
【０００７】
【図１】第１の実施の形態に係るポータブルコンピュータを示す斜視図。
【図２】第１の実施形態の表示部が倒れたポータブルコンピュータを示す斜視図。
【図３】第１の実施形態の表示部がスライドしたポータブルコンピュータを示す斜視図。
【図４】第１の実施形態の表示部が第２の位置にあるポータブルコンピュータを示す斜視図。
【図５】第１の実施形態のポータブルコンピュータを図３のＦ５−Ｆ５線に沿って示す断面図。
【図６】第１の実施形態の表示部が移動するポータブルコンピュータを示す断面図。
【図７】第２の実施の形態に係るポータブルコンピュータを示す断面図。
【図８】第３の実施の形態に係るポータブルコンピュータを示す断面図。
【図９】第３の実施形態の表示部が移動するポータブルコンピュータを示す断面図。
【発明を実施するための形態】
【０００８】
以下に、第１の実施の形態について、図１から図６を参照して説明する。なお、本明細書において、手前側（すなわちユーザ側）を前方、ユーザから見て遠い側を後方、ユーザから見て左側を左方、ユーザから見て右側を右方、ユーザから見て上側を上方、ユーザから見て下側を下方と定義する。さらに、複数の表現が可能な各要素に、一つ以上の他の表現の例を付すことがある。しかし、これは、他の表現が付されていない要素について異なる表現がされることを否定するものではないし、例示されていない他の表現がされることを制限するものでもない。また、各図面は実施形態を概略的に示すものであり、図面に示される各要素の寸法は、実施形態の説明と異なることがある。
【０００９】
図１は、第１の実施の形態に係る表示部３が第１の位置にあるポータブルコンピュータ１を示す斜視図である。図２は、表示部３が倒れたポータブルコンピュータ１の一部を切り欠いて示す斜視図である。図３は、表示部３がスライドしたポータブルコンピュータ１の一部を切り欠いて示す斜視図である。図４は、表示部３が第２の位置にあるポータブルコンピュータ１の一部を切り欠いて示す斜視図である。
【００１０】
ポータブルコンピュータ１は、電子機器の一例である。なお、電子機器はポータブルコンピュータ１に限らず、例えば携帯電話、スマートフォン、タブレット型デバイス、または携帯型ゲーム機のような他の電子機器であっても良い。
【００１１】
図１に示すように、ポータブルコンピュータ１は、本体部２と、表示部３とを備えている。本体部２は、第１の部分、ベース部、またはメインユニットのようにも称される。表示部３は、第２の部分、表示装置、またはディスプレイユニットのようにも称される。
【００１２】
本体部２は、ベース筺体１１と、キーボード１２と、タッチクリックパッド１３と、コネクタ１４とを有している。ベース筺体１１は、第１の筺体のようにも称される。ベース筺体１１は、矩形の箱状に形成されている。ベース筺体１１の内部に、例えばＭＰＵおよび記憶装置が実装されたマザーボードやバッテリが収納されている。
【００１３】
キーボード１２およびタッチクリックパッド１３は、ベース筺体１１の上面１１ａに配置されている。キーボード１２は、例えば文字入力やポータブルコンピュータ１の操作に用いられる。タッチクリックパッド１３は、例えばカーソルの移動やクリック操作に用いられる。
【００１４】
コネクタ１４は、前記マザーボードに実装され、例えばベース筺体１１の側面１１ｂに設けられた開口から露出されている。コネクタ１４は、例えばＵＳＢコネクタやＨＤＭＩコネクタである。
【００１５】
表示部３は、ディスプレイ筺体２１と、ディスプレイモジュール２２とを有している。ディスプレイモジュール２２は、第１の壁の一例であり、第１の部材、または第１の部品のようにも称される。ディスプレイ筺体２１は、第２の筺体、外殻部、壁部、または収容部のようにも称される。
【００１６】
ディスプレイ筺体２１は、矩形の箱状に形成される。図２に示すように、ディスプレイ筺体２１は、フロントカバー２６と、リアカバー２７とを有している。リアカバー２７は、第２の壁の一例であり、第２の部材、または第２の部品のようにも称される。フロントカバー２６およびリアカバー２７は、外壁、壁部、または覆部のようにも称される。
【００１７】
フロントカバー２６は、例えばマグネシウム合金によって形成されている。リアカバー２７は、例えば合成樹脂によって形成されている。なお、フロントカバー２６およびリアカバー２７の材料はこれに限らない。
【００１８】
フロントカバー２６は、ディスプレイ筺体２１の前面と側面とを形成する。リアカバー２７は、ディスプレイ筺体２１の背面を形成する。フロントカバー２６は、リアカバー２７に例えばネジおよび爪によって固定され、ディスプレイ筺体２１を形成する。
【００１９】
フロントカバー２６に、ディスプレイ開口３１が設けられている。ディスプレイ開口３１は、略矩形状に形成され、例えばガラスの透明なパネル３１ａ（図５に示す）によって塞がれている。
【００２０】
ディスプレイモジュール２２は、ディスプレイ筺体２１に収容されている。ディスプレイモジュール２２は、画像が表示されるスクリーン２２ａを有している。スクリーン２２ａは、ディスプレイ開口３１によって露出されている。スクリーン２２ａは、パネル３１ａによって覆われている。
【００２１】
ディスプレイモジュール２２は、例えば液晶ディスプレイである。ディスプレイモジュール２２は、タッチパネルを有している。ユーザは、指またはスタイラスペンでスクリーン２２ａの上のパネル３１ａに触れることで、ポータブルコンピュータ１を操作する。
【００２２】
表示部３は、スライドヒンジによって本体部２の後端部に連結されている。表示部３は、前記スライドヒンジによって、図１に示す第１の位置と、図４に示す第２の位置との間で移動できる。第１の位置において、表示部３は、本体部２の後端部から斜めに起立している。
【００２３】
表示部３を第１の位置から第２の位置に移動させるためには、まず、斜めに起立する表示部３を倒す。図２に示すように、倒された表示部３は、本体部２と略平行に配置される。次に、表示部３を本体部２に対してスライドさせる。図３に示すように、表示部３の下端３ａが本体部２の前端２ａに近づくように、表示部３がスライドする。表示部３が第２の位置に到達すると、表示部３の下端３ａと本体部２の前端２ａとが同一平面を形成するように並ぶ。
【００２４】
図４に示すように、第２の位置に配置された表示部３は、ベース筺体１１の上面１１ａを覆う。このため、キーボード１２およびタッチクリックパッド１３は、表示部３によって覆われる。
【００２５】
表示部３が第２の位置にあるとき、ユーザは、タッチパネルを有するディスプレイモジュール２２によってポータブルコンピュータ１を操作する。言い換えると、表示部３が第２の位置に配置されたポータブルコンピュータ１は、タブレット型デバイスとして利用される。
【００２６】
図５は、図３のＦ５−Ｆ５線に沿ってポータブルコンピュータ１の一部を示す断面図である。図５に示すように、ディスプレイモジュール２２は、リアカバー２７に対向する背面２２ｂを有している。背面２２ｂは、第１の面の一例である。背面２２ｂは、スクリーン２２ａの反対側に位置し、例えばアルミニウムによって形成されている。背面２２ｂの材料はこれに限らない。リアカバー２７は、ディスプレイモジュール２２に対向する内面２７ａを有している。内面２７ａは、第２の面の一例である。
【００２７】
ディスプレイモジュール２２の背面２２ｂとリアカバー２７の内面２７ａとは、それぞれ平坦に形成されている。ディスプレイモジュール２２の背面２２ｂとリアカバー２７の内面２７ａとは、向かい合っていれば、他方に対して傾斜しても良い。ディスプレイモジュール２２の背面２２ｂとリアカバー２７の内面２７ａとの間の距離は、例えば約２ｍｍである。
【００２８】
図２に示すように、リアカバー２７に、開口部３５が設けられている。開口部３５は、矩形のリアカバー２７の長手方向中央部に位置する。開口部３５は、矩形状の孔であって、表示部３の下端３ａ付近から上端３ｂ付近に亘って設けられる。
【００２９】
ポータブルコンピュータ１は、移動部４１と、フレキシブルプリント配線板（以下、ＦＰＣと称する）４３とをさらに備えている。ＦＰＣ４３は、可撓性のケーブルの一例であり、ハーネス、ケーブル、接続部、または連結部品のようにも称される。
【００３０】
移動部４１は、ベース筺体１１の上面１１ａの後端部に取り付けられている。移動部４１は、開口部３５の縁に移動可能に係合される。図５に示すように、移動部４１の一部は、ディスプレイモジュール２２とリアカバー２７との間に位置する。
【００３１】
図１ないし図４に示すように、表示部３が本体部２に対して移動するとき、移動部４１は、本体部２とともに表示部３に対して移動する。移動部４１は、開口部３５に沿って移動する。言い換えると、移動部４１は、ディスプレイモジュール２２およびリアカバー２７に沿って移動可能である。
【００３２】
図５に示すように、ＦＰＣ４３は、湾曲部４５と、第１の部分４６と、第２の部分４７と、接続部４８とを有している。湾曲部４５は、曲げ部、中間部、回転部のようにも称される。図３に示すように、ＦＰＣ４３は、リアカバー２７の短手方向に延びる帯状に形成され、湾曲部４５で折り返されている。ＦＰＣ４３の厚さは、例えば約０．１ｍｍである。図５に示すように、湾曲部４５と、第１および第２の部分４６，４７とは、ディスプレイモジュール２２とリアカバー２７との間に配置されている。
【００３３】
湾曲部４５は、円弧状に曲げられたＦＰＣ４３の一部である。ＦＰＣ４３は、湾曲部４５において弾性力を生じさせる。湾曲部４５は、第１の部分４６と、第２の部分４７との間に位置している。
【００３４】
第１の部分４６は、湾曲部４５の第１の端部４５ａから連続し、ディスプレイモジュール２２の背面２２ｂに沿って延びている。第１の部分４６の端部は、移動部４１に固定されている。第１の部分４６の当該端部に、補強板４９が取り付けられている。補強板４９は、ＦＰＣ４３よりも剛性が高い板材である。第１の部分４６の当該端部は、補強板４９と移動部４１とによって挟まれている。
【００３５】
第２の部分４７は、湾曲部４５の第２の端部４５ｂから連続し、リアカバー２７の内面２７ａに沿って延びている。図２に示すように、第２の部分４７の端部に、端子部５１が設けられている。端子部５１は、ディスプレイモジュール２２に接続されている。第２の部分４７の端子部５１は、リアカバー２７の内面２７ａに固定されている。
【００３６】
接続部４８は、移動部４１に固定された第１の部分４６の端部から連続して延びている。接続部４８は、開口部３５を通って本体部２の内部に入り込んでいる。接続部４８は、本体部２の内部において、例えば本体部２の前記マザーボードに接続されている。このため、本体部２は、ＦＰＣ４３を介してディスプレイモジュール２２と電気的に接続されている。
【００３７】
図５に示すように、ディスプレイモジュール２２の背面２２ｂに、第１の接触部５４が設けられている。第１の接触部５４は、第１の摺動部または第１の摩擦部のようにも称される。
【００３８】
第１の接触部５４は、ディスプレイモジュール２２の背面２２ｂに貼り付けられたテフロン（登録商標）のシートである。当該テフロン（登録商標）のシートは、第１のシートの一例である。当該テフロン（登録商標）シートの厚さは、例えば約０．１ｍｍである。
【００３９】
第１の接触部５４を形成するテフロン（登録商標）シートの摩擦係数（動摩擦係数）は、リアカバー２７を形成する合成樹脂の摩擦係数よりも低く、例えば約０．１である。言い換えると、第１の接触部５４は、リアカバー２７よりも滑りやすい。
【００４０】
さらに、第１の接触部５４を形成するテフロン（登録商標）シートの摩擦係数は、ディスプレイモジュール２２の背面２２ｂを形成するアルミニウムの摩擦係数よりも低い。言い換えると、第１の接触部５４は、ディスプレイモジュール２２の他の部分よりも滑りやすい。
【００４１】
なお、第１の接触部５４は、テフロン（登録商標）シートに限らない。第１の接触部５４は、例えば、ディスプレイモジュール２２の背面２２ｂに塗布された潤滑剤であっても良い。また、第１の接触部５４は、例えば、他の部分よりも磨かれた、または、第１の部分４６に沿って延びるレール状に加工された、背面２２ｂの一部であっても良い。言い換えると、第１の接触部５４は、摩擦係数が減少するように背面２２ｂの一部を表面処理することによって形成されても良い。
【００４２】
第１の接触部５４に、ＦＰＣ４３の湾曲部４５の第１の端部４５ａと、第１の部分４６の少なくとも一部とが接触している。湾曲部４５の第１の端部４５ａは、弾性力によって第１の接触部５４を押圧する。
【００４３】
ＦＰＣ４３は、第１の面４３ａと、第２の面４３ｂとを有している。第１の面４３ａは、外面または表面とも称される。第２の面４３ｂは、内面または裏面とも称される。第１の面４３ａは、第１の接触部５４に接触する面である。第２の面４３ｂは、第１の面４３ａの反対側に位置する。
【００４４】
リアカバー２７の内面２７ａに、第２の接触部５６が設けられている。第２の接触部５６は、第２の摺動部または第２の摩擦部のようにも称される。第２の接触部５６は、第１の接触部５４に対向している。
【００４５】
第２の接触部５６は、リアカバー２７の内面２７ａに貼り付けられたアンチスリップシートである。当該アンチスリップシートは、第２のシートの一例であり、例えば合成ゴムによって形成されている。アンチスリップシートの厚さは、例えば約０．１ｍｍである。
【００４６】
第２の接触部５６を形成するアンチスリップシートの摩擦係数は、リアカバー２７を形成する合成樹脂の摩擦係数よりも高く、例えば約０．４である。言い換えると、第２の接触部５６は、リアカバー２７の他の部分よりも滑りにくい。
【００４７】
なお、第２の接触部５６は、アンチスリップシートに限らない。第２の接触部５６は、例えば、リアカバー２７の内面２７ａに貼り付けられた再剥離性の高い両面テープであっても良い。さらに、第２の接触部５６は、例えば、他の部分よりも荒くされた、シボ加工された内面２７ａの一部であっても良い。言い換えると、第２の接触部５６は、摩擦係数が増大するように内面２７ａの一部を表面処理することによって形成されても良い。
【００４８】
第２の接触部５６に、ＦＰＣ４３の湾曲部４５の第２の端部４５ｂと、第２の部分４７の少なくとも一部とが接触している。第２の接触部５６に接触するＦＰＣ４３の面は、第１の面４３ａである。湾曲部４５の第２の端部４５ｂは、弾性力によって第２の接触部５６を押圧する。
【００４９】
以下に、表示部３が第１の位置から第２の位置に移動するときのＦＰＣ４３について説明する。図２に示すように、表示部３が第１の位置に位置するとき、移動部４１は、開口部３５の一方の端部近傍に位置する。このとき、ＦＰＣ４３の第１の部分４６は、第２の部分４７よりも大幅に短い。
【００５０】
図３に示すように、表示部３が本体部２に対してスライドすると、ディスプレイモジュール２２およびリアカバー２７は、本体部２に取り付けられた移動部４１に対して移動する。言い換えると、移動部４１は、ディスプレイモジュール２２およびリアカバー２７に対して相対的に移動する。
【００５１】
図５に示すように、表示部３が第１の位置から第２の位置に向かって移動するとき、移動部４１は、湾曲部４５から離れるように移動する。このとき、湾曲部４５は、第２の部分４７から第１の部分４６に向かって移動（回転）する。このため、移動部４１が移動することで、第１の部分４６が長くなるとともに、第２の部分４７が短くなる。
【００５２】
湾曲部４５の第２の端部４５ｂが第２の接触部５６を押圧する。このため、湾曲部４５の第２の端部４５ｂおよび第２の部分４７と、第２の接触部５６との接触部分に、摩擦力が発生する。一方、リアカバー２７とともに端子部５１が移動するため、端子部５１は第２の部分４７を、リアカバー２７の移動方向（図５の左方向）に押す。
【００５３】
説明の為に、ポータブルコンピュータ１が第２の接触部５６を備えない場合を仮定して説明する。この場合、ＦＰＣ４３の湾曲部４５の第２の端部４５ｂと、第２の部分４７とは、リアカバー２７の内面２７ａに直接的に接触する。内面２７ａに摩擦係数が高い第２の接触部５６が存在しないため、湾曲部４５の第２の端部４５ｂおよび第２の部分４７と、内面２７ａとの接触部分でスリップが発生するおそれがある。言い換えると、湾曲部４５の第２の端部４５ｂおよび第２の部分４７が、内面２７ａから浮き上がるおそれがある。
【００５４】
上記スリップが発生すると、湾曲部４５の移動が止まるのに対し、端子部５１は第２の部分４７を押し続ける。このため、第２の部分４７に座屈が生じるおそれがある。第２の部分４７に座屈が生じると、ＦＰＣ４３は意図しない位置で折れ曲がる可能性がある。
【００５５】
一方、第２の接触部５６を備える本実施形態のポータブルコンピュータ１の場合、湾曲部４５の第２の端部４５ｂおよび第２の部分４７と、第２の接触部５６との接触部分に、強い摩擦力が生じる。このため、湾曲部４５の第２の端部４５ｂおよび第２の部分４７と、第２の接触部５６との接触部分で上述のようなスリップが生じることが抑制される。
【００５６】
強い摩擦力が生じるため、第２の接触部５６は、第２の部分４７を湾曲部４５に向かって送り出す。このため、湾曲部４５は、滑らかに第２の部分４７から第１の部分４６に向かって移動する。
【００５７】
図４に示すように、表示部３が第２の位置に到達すると、第１の部分４６の長さと、第２の部分４７の長さとが、おおよそ等しくなる。このとき、移動部４１は、開口部３５の他方の端部近傍に位置する。
【００５８】
次に、表示部３が第２の位置から第１の位置に移動するときのＦＰＣ４３について説明する。図６は、表示部３が第１の位置に向かって移動するときのポータブルコンピュータ１の一部を示す断面図である。
【００５９】
図６に示すように、表示部３が第２の位置から第１の位置に向かって移動するとき、移動部４１は、湾曲部４５に近づくように移動する。このとき、湾曲部４５は、第１の部分４６から第２の部分４７に向かって移動（回転）する。このため、移動部４１が移動することで、第１の部分４６が短くなるとともに、第２の部分４７が長くなる。
【００６０】
湾曲部４５の第１の端部４５ａが第１の接触部５４を押圧する。このため、湾曲部４５の第１の端部４５ａおよび第１の部分４６と、第１の接触部５４との接触部分に、摩擦力が発生する。一方、リアカバー２７とともに端子部５１が移動するため、端子部５１は第２の部分４７を、リアカバー２７の移動方向（図６の右方向）に引っ張る。
【００６１】
説明の為に、ポータブルコンピュータ１が第１の接触部５４を備えない場合を仮定して説明する。この場合、ＦＰＣ４３の湾曲部４５の第１の端部４５ａと、第１の部分４６とは、ディスプレイモジュール２２の背面２２ｂに直接的に接触する。背面２２ｂに摩擦力が低い第１の接触部５４が存在しないため、湾曲部４５の第１の端部４５ａおよび第１の部分４６が、背面２２ｂに引っかかるおそれがある。言い換えると、背面２２ｂが、湾曲部４５および第１の部分４６の移動を止めるおそれがある。
【００６２】
上記引っかかりが発生すると、湾曲部４５の移動が止まるのに対し、移動部４１が第１の部分４６を押す。このため、第１の部分４６に座屈が生じるおそれがある。第１の部分４６に座屈が生じると、ＦＰＣ４３は意図しない位置で折れ曲がる可能性がある。
【００６３】
一方、第１の接触部５４を備える本実施形態のポータブルコンピュータ１の場合、湾曲部４５の第１の端部４５ａおよび第１の部分４６と、第１の接触部５４との接触部分における摩擦力が弱い。このため、湾曲部４５の第１の端部４５ａおよび第１の部分４６と、第１の接触部５４との接触部分で引っかかりが生じることが抑制される。
【００６４】
端子部５１が第２の部分４７を引っ張るとともに、第１の部分４６が第１の接触部５４を滑る。このため、湾曲部４５は、滑らかに第１の部分４６から第２の部分４７に向かって移動する。
【００６５】
第１の実施形態のポータブルコンピュータ１によれば、第１の接触部５４がリアカバー２７よりも滑りやすい。移動部４１が湾曲部４５に近づくように移動する場合、ＦＰＣ４３の第１の部分４６が滑らかに第１の接触部５４を滑るため、第１の部分４６に上述の引っかかりが発生することを抑制できる。また、移動部４１が湾曲部４５から離れるように移動する場合、ＦＰＣ４３の第２の部分４７がリアカバー２７の上を滑りにくいため、第２の部分４７に上述のスリップが発生することを抑制できる。したがって、ＦＰＣ４３の折れ曲がりを抑制でき、ＦＰＣ４３の耐久性および信頼性を向上させることができる。
【００６６】
上述のスリップおよび引っかかりは、ディスプレイモジュール２２とリアカバー２７との間の隙間が小さいほど生じやすい。しかし、第１の接触部５４によってスリップおよび引っかかりが抑制されるため、ポータブルコンピュータ１を薄型化することができる。
【００６７】
また、上述のようなスリップおよび引っかかりは、本体部２に対する表示部３の移動距離（ストローク）が長いほど生じやすい。しかし、第１の接触部５４によってスリップおよび引っかかりが抑制されるため、本体部２に対して表示部３を長距離移動させることができる。
【００６８】
ポータブルコンピュータ１は、リアカバー２７の他の部分よりも滑りにくい第２の接触部５６をそなえる。これにより、移動部４１が湾曲部４５から離れるように移動する場合、ＦＰＣ４３の第２の部分４７が滑りにくくなる。したがって、上述のスリップが発生することをより抑制できる。
【００６９】
第１の接触部５４は、ディスプレイモジュール２２よりも摩擦係数が低い、例えば、テフロン（登録商標）シートである。このようなシートをディスプレイモジュール２２の背面２２ｂに貼り付けることによって第１の接触部５４が形成されるため、ポータブルコンピュータ１を容易に製造することができる。
【００７０】
第２の接触部５６は、リアカバー２７よりも摩擦係数が高い、例えば、アンチスリップシートである。このようなシートをリアカバー２７の内面２７ａに貼り付けることによって第２の接触部５６が形成されるため、ポータブルコンピュータ１を容易に製造することができる。
【００７１】
なお、第１および第２の接触部５４，５６は、上述のように、表面処理によって形成されても良い。この場合、ポータブルコンピュータ１の厚みおよび材料費が増大することを抑制できる。
【００７２】
次に、図７を参照して、第２の実施の形態について説明する。なお、以下に開示する少なくとも一つの実施形態において、第１の実施形態のポータブルコンピュータ１と同様の機能を有する構成部分には同一の参照符号を付す。さらに、当該構成部分については、その説明を一部または全て省略することがある。
【００７３】
図７は、第２の実施の形態に係るポータブルコンピュータ１を示す断面図である。図７に示すように、ＦＰＣ４３は、複数の孔６１を有している。複数の孔６１は、複数の第１の嵌合部の一例である。
【００７４】
複数の孔６１は、それぞれ円形に形成され、ＦＰＣ４３の湾曲部４５、第１の部分４６、および第２の部分４７に設けられている。複数の孔６１は、表示部３の短手方向に一列に並んで配置されている。言い換えると、複数の孔６１は、ＦＰＣ４３が移動する方向に沿って並んでいる。複数の孔６１は、一定の間隔で並んでいる。なお、第１の嵌合部は円形の孔６１に限らず、例えばＦＰＣ４３の縁に形成された切欠きでも良い。
【００７５】
第２の接触部５６は、複数の突起６３を有している。複数の突起６３は、複数の第２の嵌合部の一例である。突起６３は、リアカバー２７の内面２７ａからそれぞれ突出する円柱である。なお、突起６３の形状はこれに限らない。突起６３の外径は、孔６１の内径よりも小さい。突起６３の厚さは、ＦＰＣ４３の厚さよりも僅かに大きい。
【００７６】
複数の突起６３は、複数の孔６１に対応して配置されている。このため、複数の突起６３は、表示部３の短手方向に一列に並んで配置されている。言い換えると、複数の突起６３は、ＦＰＣ４３が移動する方向に沿って並んでいる。
【００７７】
複数の突起６３は、ＦＰＣ４３の第２の部分４７に設けられた複数の孔６１に挿入されている。言い換えると、突起６３は、第２の部分４７の孔６１に嵌合している。このため、複数の突起６３は、リアカバー２７の内面２７ａの上における第２の部分４７の移動を規制する。
【００７８】
表示部３が第１の位置から第２の位置に向かって移動するとき、孔６１に嵌合する突起６３が、第２の部分４７を、リアカバー２７の移動方向（図７の左方向）に押す。このため、湾曲部４５の第２の端部４５ｂおよび第２の部分４７と、リアカバー２７の内面２７ａとの接触部分でスリップが生じることが抑制される。
【００７９】
また、突起６３は、孔６１に嵌合することで、第２の部分４７を湾曲部４５に向かって送り出す。このため、湾曲部４５は、滑らかに第２の部分４７から第１の部分４６に向かって移動する。
【００８０】
第２の実施形態のポータブルコンピュータ１によれば、ＦＰＣ４３に設けられた複数の孔６１に、複数の突起６３が嵌合する。これにより、上述のスリップが抑制され、ＦＰＣ４３の折れ曲がりを抑制できる。さらに、突起６３は、物理的に孔６１に嵌合する。このため、例えば突起６３の材料の摩擦係数が変化したとしても、安定して上述のスリップを抑制できる。
【００８１】
なお、第１および第２の嵌合部は、上述の孔６１および突起６３に限らない。例えば、ＦＰＣ４３に第１の嵌合部としての突起が設けられ、リアカバー２７の内面２７ａに第２の嵌合部としての凹部が設けられても良い。また、内面２７ａに取り付けられるとともにＦＰＣ４３の第２の部分４７の一部を覆うカバーを設け、当該カバーに突起６３を設けても良い。
【００８２】
次に、図８および図９を参照して、第３の実施の形態について説明する。図８は、第３の実施の形態に係るポータブルコンピュータ１を示す断面図である。図８に示すように、ＦＰＣ４３の第１の面４３ａは、ディスプレイモジュール２２の背面２２ｂと、リアカバー２７の内面２７ａとに接触する。第１の面４３ａは、摩擦変動面の一例である。
【００８３】
図８および図９に太線で示すように、ＦＰＣ４３の第１の面４３ａに、摩擦に方向性を有するテクスチャが形成されている。例えば、一つの方向に対しては摩擦が小さくなり、反対方向に対しては摩擦が大きくなるような、多数の鋸歯状の突起が、第１の面４３ａに形成されている。なお、上記のようなテクスチャは、ＦＰＣ４３の第１の面４３ａに直接設けられるものに限らない。例えば、上記のようなテクスチャが設けられたシートが第１の面４３ａに貼り付けられても良い。
【００８４】
図８に示すように、第２の位置に向かって表示部３が本体部２に対してスライドするとき、ＦＰＣ４３の第１の部分４６が長くなり、第２の部分４７が短くなる。このとき、ディスプレイモジュール２２の背面２２ｂに接触するＦＰＣ４３の第１の面４３ａは、第１の摩擦力Ｆ１を発生させる。なお、リアカバー２７の内面２７ａに接触する第１の面４３ａも摩擦力を発生させる。
【００８５】
図９は、表示部３が第１の位置に向かって移動するポータブルコンピュータ１を示す断面図である。図９に示すように、第１の位置に向かって表示部３が本体部２に対してスライドするとき、ＦＰＣ４３の第１の部分４６が短くなり、第２の部分４７が長くなる。このとき、ディスプレイモジュール２２の背面２２ｂに接触するＦＰＣ４３の第１の面４３ａは、第２の摩擦力Ｆ２を発生させる。なお、リアカバー２７の内面２７ａに接触する第１の面４３ａも摩擦力を発生させる。
【００８６】
ＦＰＣ４３の第１の面４３ａに上述のテクスチャが設けられているため、第２の摩擦力Ｆ２は、第１の摩擦力よりも小さい。言い換えると、第１の面４３ａは、ＦＰＣ４３の第１の部分４６が長くなり、第２の部分４７が短くなるように移動部４１が移動するとき、大きい第１の摩擦力Ｆ１を生じる。反対に、第１の面４３ａは、ＦＰＣ４３の第１の部分４６が短くなり、第２の部分４７が長くなるように移動部４１が移動するとき、小さい第２の摩擦力Ｆ２を生じる。
【００８７】
第３の実施形態のポータブルコンピュータ１によれば、ＦＰＣ４３の第１の面４３ａに、摩擦に方向性を有するテクスチャが形成される。これにより、移動部４１が湾曲部４５に近づくように移動する場合、ＦＰＣ４３の第１の部分４６が滑らかにディスプレイモジュール２２の背面２２ｂを滑るため、ＦＰＣ４３の折れ曲がりが発生することを抑制できる。また、移動部４１が湾曲部４５から離れるように移動する場合、ＦＰＣ４３の第２の部分４７がリアカバー２７の内面２７ａを滑りにくいため、ＦＰＣ４３の折れ曲がりが発生することを抑制できる。すなわち、ディスプレイモジュール２２およびリアカバー２７の滑りやすさを調整せずとも、ＦＰＣ４３の滑りやすさを調整することで、ＦＰＣ４３の折れ曲がりが発生することを抑制できる。
【００８８】
以上述べた少なくとも一つの電子機器によれば、ケーブルまたはケーブルが接触する部分の滑りやすさを調整することで、移動部が移動するときのケーブルに折れ曲がりが発生することを抑制できる。
【００８９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００９０】
例えば、第１の接触部５４のみが設けられ、第２の接触部５６が設けられなくとも良い。反対に、第２の接触部５６のみが設けられ、第１の接触部５４が設けられなくとも良い。これらの場合、ＦＰＣ４３の第１の面４３ａに、摩擦係数を増大または減少させる加工を施しても良い。例えば、第１の接触部５４のみが設けられる場合、ＦＰＣ４３の第１の面４３ａに、摩擦係数が高いアンチスリップシートを貼り付けても良い。これにより、ＦＰＣ４３とリアカバー２７との接触部分における摩擦力が増大し、スリップが抑制される。反対に、第２の接触部５６のみが設けられる場合、ＦＰＣ４３の第１の面４３ａに、摩擦係数が低いテフロン（登録商標）シートを貼り付けても良い。これにより、ＦＰＣ４３とディスプレイモジュール２２との接触部分における摩擦力が減少し、引っかかりが抑制される。したがって、ＦＰＣ４３の折れ曲がりを抑制できる。
【００９１】
また、第２の接触部５６は、例えば面ファスナーや磁石のような、ＦＰＣ４３に結合可能な部材であっても良い。このような第２の接触部５６であっても、ＦＰＣ４３が滑りにくいため、スリップを抑制できる。したがって、ＦＰＣ４３の折れ曲がりを抑制できる。
【００９２】
加えて、第１の接触部５４は、ディスプレイモジュール２２の背面２２ｂの全域に設けられていても良い。同様に、第２の接触部５６は、リアカバー２７の内面２７ａの全域に設けられていても良い。
【符号の説明】
【００９３】
１…ポータブルコンピュータ、２２…ディスプレイモジュール、２２ｂ…背面、２７…リアカバー、２７ａ…内面、４１…移動部、４３…ＦＰＣ、４３ａ…第１の面、４５…湾曲部、４５ａ…第１の端部、４５ｂ…第２の端部、４６…第１の部分、４７…第２の部分、５４…第１の接触部、５６…第２の接触部、６１…孔、６３…突起。
【図１】
2014126904.tif 000003
【図２】
2014126904.tif 000004
【図３】
2014126904.tif 000005
【図４】
2014126904.tif 000006
【図５】
2014126904.tif 000007
【図６】
2014126904.tif 000008
【図７】
2014126904.tif 000009
【図８】
2014126904.tif 000010
【図９】
2014126904.tif 000011